(57)【要約】      （修正有）【課題】長時間の使用が可能で、デザインの多様な変化を有することができる携帯用歯ブラシを提供する。【解決手段】殺菌ランプ１６２が備えられた殺菌手段収納部および乾電池収納部が一側に形成されている下部ケース１００ａと、その上端に結合され、歯ブラシが収納される収納空間２１０が上面２２０から下方に陥没して形成されており、前記収納空間２１０は、側面に紫外線吐出口２４０が形成された歯ブラシ毛収納部２１２と、その下方に歯ブラシグリップが収納されるグリップ収納部２１４とで形成され、上面２２０には上部ケース２００ａと、前記上部ケース２００ａの歯ブラシ毛収納部２１２に脱付着され、一側に第２紫外線吐出口５１０が形成され、他側には歯ブラシグリップ４２０を収納できるように開放部５５０が形成されている保護キャップ５００と、開閉可能に回動するカバー３００ａとで構成される。【選択図】図４
2007236600.tif 000002
【特許請求の範囲】
【請求項１】
殺菌ランプ(１６２)とタッチスイッチ(１６４)とが備えられた殺菌手段(１６０)を収納できる殺菌手段収納部(１５０)および乾電池収納部(１４０)が一側に形成されている下部ケース(１００ａ)と、前記下部ケース(１００ａ)の上端に結合され、歯ブラシが収納される収納空間(２１０)が上面(２２０)で下方に陥没形成されており、前記収納空間(２１０)は、歯ブラシ(４００)の歯ブラシ毛(４１０)が収納され、側面に紫外線吐出口(２４０)が形成された歯ブラシ毛収納部(２１２)と、その下方に歯ブラシグリップ(４２０)が収納されるグリップ収納部(２１４)とで形成され、上面(２２０)または外周壁(２３０)のどちらか一側には、タッチスイッチ(１６４)の一部が突出挿入される突出孔(２５０)が形成されている上部ケース(２００ａ)と、前記上部ケース(２００ａ)の歯ブラシ毛収納部(２１２)に脱付着され、一側に第２紫外線吐出口(５１０)が形成され、他側には歯ブラシグリップ(４２０)を収納できるように開放部(５５０)が形成されている保護キャップ(５００)と、前記上部ケース(２００ａ)の上方に位置し、内側にタッチスイッチ(１６４)を押す押し突起(３４０)が形成され、開閉可能に回動するカバー(３００ａ)と、で構成されることを特徴とする携帯用歯ブラシ殺菌器。
【請求項２】
前記保護キャップ(５００)には、底面(５２０)から所定高さ上昇した少なくとも一つ以上の第２受け台が形成されていることを特徴とする請求項１に記載の携帯用歯ブラシ殺菌器。
【請求項３】
前記第２受け台は、所定高さを有し、両端部が向かい合う傾斜面が形成された両側突出形(５４４)で形成されることを特徴とする請求項２に記載の携帯用歯ブラシ殺菌器。
【請求項４】
前記第２受け台は、前記第２紫外線吐出口(５１０)が形成された側から他側に下向する傾斜面が形成された逆傾斜形(５４６)で形成されることを特徴とする請求項２に記載の携帯用歯ブラシ殺菌器。
【請求項５】
前記保護キャップ(５００)の開放部(５５０)には、底面から所定高さ上昇した境界段差(５６０)が形成されていることを特徴とする請求項１に記載の携帯用歯ブラシ殺菌器。
【請求項６】
前記下部ケース(１００ａ)の底面(１１０)に、少なくとも一つ以上の掛け孔(１１２)が形成され、前記上部ケース(２００ａ)の収納空間(２１０)に、排出孔が多数形成されており、前記保護キャップ(５００)の底面(５２０)に、多数の第２排出孔(５３０)がさらに形成されていることを特徴とする請求項１に記載の携帯用歯ブラシ殺菌器。
【請求項７】
前記下部ケース(１００ａ)の前面中央部には、空間部(１２４)が形成され、前記上部ケース(２００ａ)の前面中央部には、空間部(２３２)が形成され、前記空間部(２３２)の両端それぞれから突出する回動突起(２６４)、およびその後方に掛け段差(２６２)が形成され、前記カバー(３００ａ)の前面内側中央には、下方に突出する掛け突起(３６２)が掛け段差(２６２)に掛かるように形成され、前記掛け突起(３６２)の両側それぞれに支持突起片(３６４)が形成され、前記下部ケース(１００ａ)の空間部(１２４)と前記上部ケース(２００ａ)の空間部(２３２)に位置し、中央に掛け段差(２６２)と掛け突起(３６２)に干渉されることを防止するために、挿入空間(６１２)が形成された水平バー(６１０)と、前記水平バー(６１０)の前面に垂直に立てられる垂直バー(６２０)、および前記水平および垂直バー(６１０)(６２０)の両端に前記上部ケース(２００ａ)の回動突起(２６４)に挿入できるように一側が開放されたヒンジ孔(６１４)が形成された回動部材(６００)がさらに構成されていることを特徴とする請求項１に記載の携帯用歯ブラシ殺菌器。
【請求項８】
前記殺菌手段(１６０)のタッチスイッチ(１６４)は、前記上部ケース(２００ａ)の突出孔(２５０)に突出しない長さで形成されていることを特徴とする請求項１に記載の携帯用歯ブラシ殺菌器。
【請求項９】
前記カバー(３００ａ)は、一部または全体が半透明体で形成されることを特徴とする請求項１乃至請求項８のうちいずれかひとつに記載の携帯用歯ブラシ殺菌器。
【請求項１０】
前記カバー(３００ａ)の上面には、反射鏡(８００)が形成されていることを特徴とする請求項１乃至請求項８のうちいずれかひとつに記載の携帯用歯ブラシ殺菌器。
【請求項１１】
前記上部ケース(２００ａ)の収納空間(２１０)の底面には、挿入孔(２１８)が形成されており、前記挿入孔(２１８)に一端が挿入固定され、前記歯ブラシグリップ(４２０)が容易に固定されるようにホルダ(２８０)が備えられ、前記ホルダ(２８０)は、中央部に挿入空間が形成されるように両側に立てられ、一側に傾いた傾斜を有する斜線形で形成される支持片(２８２)と、前記支持片(２８２)の下端に形成され、挿入孔(２１８)に挿入固定される固定片(２８４)と、で形成されることを特徴とする請求項１乃至請求項８のうちいずれかひとつに記載の携帯用歯ブラシ殺菌器。
【発明の詳細な説明】
【技術分野】
【０００１】
本発明は、歯ブラシの容易な収納と殺菌ランプの殺菌効率の増加および変色の防止とともに審美感を引き起こして、長時間の使用が可能で、デザインの多様な変化を有することができる携帯用歯ブラシ殺菌器に関する。
【背景技術】
【０００２】
一般に、携帯用歯ブラシ殺菌器は、歯ブラシの個別収納とともに、内部に装着された殺菌ランプを介して歯ブラシ毛を殺菌することで、衛生的な歯ブラシ保管のために使用される。
【０００３】
図１は、従来歯ブラシ殺菌器の分解斜視図であって、図２は、従来歯ブラシ殺菌器の断面図であって、図３は、従来歯ブラシ殺菌器の平断面図である。図１乃至図３を参照すると、従来歯ブラシ殺菌器１０は、下部ケース１００と、前記下部ケース１００の上端に設けられる上部ケース２００と、前記上部ケース２００の上端を開閉するカバー３００とで構成される。前記下部ケース１００は、底面１１０と、前記底面１１０の外周に所定高さで立てられる外周壁１２０とで構成される。前記底面１１０の上方中央には掛け孔１１２が貫通形成される。
【０００４】
また、前記外周壁１２０の前面中央部には、水平に突出した支持部材１２２が形成され、後面両端のそれぞれには、ヒンジ突起１３０が突出している。
【０００５】
さらに、底面１１０の後端部には、携帯用乾電池を収納するように開閉板が設けられた乾電池収納部１４０と、前記乾電池収納部１４０の上方に位置し、殺菌ランプ１６２とタッチスイッチ１６４で構成された殺菌手段１６０が収納される殺菌手段収納部１５０が形成される。
【０００６】
ここで、前記殺菌手段１６０に、タッチスイッチ１６４が押されるとき、オン(ＯＮ)信号となり、携帯用乾電池から電源が印加されることによって殺菌ランプ１６２を点灯させる回路が含まれているのは、一般の技術的思想なので、これに対する詳細な説明は省略する。なお、タッチスイッチ１６４の押されている状態が解除されるとオフ(ＯＦＦ)信号が回路に伝達され、携帯用乾電池から印加された電源が遮断されることによって、殺菌ランプ１６２が消灯する。
【０００７】
前記上部ケース２００には、上面２２０と、前記上面２２０の外周下方に立てられる外周壁２３０が形成され、前記外周壁２３０の前面中央部には、掛け突起２６０が突出している。
【０００８】
そして、前記上面２２０には、下方に陥没して歯ブラシ４００を収納できるように収納空間２１０が形成され、前記収納空間２１０は、歯ブラシ毛４１０部分が収納される歯ブラシ毛収納部２１２と、前記歯ブラシ毛収納部２１２の下方に歯ブラシグリップ４２０が収納されるグリップ収納部２１４とで区分される。
【０００９】
特に、前記歯ブラシ毛収納部２１２の後方には殺菌ランプ１６２の紫外線が吐出される紫外線吐出口２４０が形成される。
【００１０】
なお、前記収納空間２１０に収納される歯ブラシ４００の動きを防止するように、歯ブラシ毛収納部２１２とグリップ収納部２１４との間には支持部材２１９が構成される。前記カバー３００の後方両側にはヒンジ孔３１０が形成され、上面のどちらか一側には通気孔３２０が形成され、前面部下端中央部には水平に突出した開き突起３３０が形成され、内側面には掛け突起２６０が挿入される掛け孔３５０が形成される。
【００１１】
そして、前記カバー３００の内側のどちらか一側には、突出孔２５０を通して一部が突出したタッチスイッチ１６４を押せるように、対応する位置に押し突起３４０が形成される。
【００１２】
前記のように構成された歯ブラシ殺菌器１０の結合関係を説明する。携帯用乾電池および殺菌手段１６０が収納された下部ケース１００の上方に上部ケース２００を固定し、前記下部ケース１００の両側に突出したヒンジ突起１３０がカバー３００のヒンジ孔３１０に挿入されてヒンジ固定され、前記カバー３００がヒンジ突起１３０を中心に回動することにより、前記上部ケース２００の上方を開閉する。
【００１３】
以下、前記のような結合関係から構成された歯ブラシ殺菌器の使用状態を説明する。
【００１４】
まず、カバー３００を回動させて上部ケース２００の上方を開放する場合には、下部ケース１００の支持部材１２２を片手で把持したまま、別の手で開き突起３３０を把持して、上方に持ち上げる。
【００１５】
すると、前記回動力により上部ケース２００の掛け突起２６０からカバー３００の掛け孔３５０が離脱し、前記カバー３００は継続的な回動力によりヒンジ突起１３０を中心に回動し、上部ケース２００の上方を開放するようになる。
【００１６】
したがって、前記開放された上部ケース２００の上方を通して、収納空間２１０に歯ブラシ４００を収納したり取り出したりすることができる。
【００１７】
一方、開放された上部ケース２００の上方を閉じる場合には、カバー３００に反対の回動力を与えると、前記回動力により前記カバー３００はヒンジ突起１３０を中心に回動し、該回動力で前記カバー３００は上部ケース２００の上方を閉鎖する。
【００１８】
そして、前記閉じるカバー３００の内側には押し突起３４０が形成され、この押し突起３４０は上部ケース２００の突出孔２５０に一部が突出されたタッチスイッチ１６４を押す。
【００１９】
そして、前記押されたタッチスイッチ１６４により、殺菌手段１６０が携帯用乾電池から電源を印加されることによって、殺菌ランプ１６２が点灯され、前記点灯された殺菌ランプ１６２から放射される紫外線は、紫外線吐出口２４０を通して歯ブラシ毛収納部２１２の内部を殺菌する。前記殺菌ランプ１６２は、所定時間の間だけ点灯される。
【００２０】
したがって、上部ケース２００の収納空間２１０に収納された歯ブラシ４００の歯ブラシ毛４１０を殺菌する。
【００２１】
しかし、使用完了した歯ブラシ４００において、特に歯ブラシ毛４１０の部分には、歯磨きの成分が含有された多量の水気が付いており、このような状態で歯ブラシ殺菌器１０の収納空間２１０に収納されると、前記歯ブラシ毛４１０の水気は歯ブラシ毛収納部２１２の底面に溜り、その溜った水気は前記殺菌ランプ１６２の熱エネルギーにより一部は蒸発し、一部は化学反応により前記歯ブラシ毛収納部２１２の底面に蒸着し、残りの一部はグリップ収納部２１４に流れて底面に蒸着する。
【００２２】
したがって、長時間使用するとき、産量の水気により歯ブラシ毛収納部２１２とグリップ収納部２１４の底面が汚染されて、殺菌効果を低下させる問題点があった。
【００２３】
そして、前記汚染された部分を洗浄するためには、歯ブラシ殺菌器全体を水などにより洗浄し、このような洗浄作業のとき、洗浄水が殺菌ランプに直接付けられ、特に歯ブラシ毛収納部の紫外線吐出口を通して浸透して、前記下部ケースに設けられた殺菌手段および携帯用乾電池に流入し、これによって歯ブラシ殺菌器が故障する原因を提供する問題点があった。
【００２４】
そして、殺菌ランプから放射される紫外線により歯ブラシ毛収納部の内部が変色する問題点と、歯ブラシ毛収納部に溜った歯磨き成分が含有された水気が殺菌ランプから放射される紫外線により化学反応を起こして変色させるなどの色々な要因により、歯ブラシ毛収納部部分の変色が明らかに表出され、結局商品価値を低下させる問題点があった。
【００２５】
一方、収納された歯ブラシと殺菌ランプの距離が近すぎて、使用者の不注意または衝撃により収納空間に収納された歯ブラシ毛が殺菌ランプ表面に一部が密着している場合、電源が印加された殺菌ランプで熱エネルギーの放出で高温に上昇するが、水気が付いている歯ブラシ毛が密着した部分では水気により低温に下降する。したがって、前記温度差により前記殺菌ランプが破損するなどの問題点があった。
【００２６】
そして、上部ケースの掛け突起にカバーの掛け孔が掛かる掛け構造においては、支持部材を把持したままカバーの開き突起を持ち上げるという不便さと両手を使う必要があった。
【００２７】
そして、支持部材および開き突起の突出長さによって、すなわち突出長さが短い場合、把持力が弱いのでカバーを回動させる回動力が倍になり、短さにより滑ってしまい、把持力が弱化して、カバーの開放が円滑にならない問題点があった。
【００２８】
さらに、突出長さが長くなる場合、把持力は倍になるが、衝撃により破損しやすいという問題点があって、特に突出部位により製品の美麗さが喪失され、よって製品競争力を低下させる問題点があった。
【００２９】
一方、上部ケースの突出孔に一部が突出したタッチスイッチは、カバーの押し突起を押すことにより作動されるが、この場合前記カバーが閉じ完了しない状態で、タッチスイッチが押し突起により押されて殺菌ランプを作動させ、これにより作動された殺菌ランプの紫外線が歯ブラシ殺菌器の外部に放射される問題点があった。
【００３０】
特に、上部ケースの突出孔を通して突出したタッチスイッチは、カバーを開放した状態で誰でも前記タッチスイッチを押すことができ、さらに子供が好奇心から前記突出したタッチスイッチを押すことで、点灯される殺菌ランプから放射される紫外線により害を受けることがあるという問題点があった。
【発明の開示】
【発明が解決しようとする課題】
【００３１】
前記のような問題点を解消するために提案されたものとして、本発明の目的は、歯ブラシ毛が収納される歯ブラシ毛収納部に、脱付着可能な保護キャップを備えて、前記保護キャップの脱付着により清潔な状態を維持することができる洗浄の容易性と、これにより、長時間の使用による変色を防止する携帯用歯ブラシ殺菌器を提供することにある。
【００３２】
本発明の他の目的は、保護キャップの開放部に境界段差を形成して、前記境界段差により保護キャップの底面に溜った水気がグリップ収納部に流れ込むことを防止することで、前記グリップ収納部の汚染を最小化する携帯用歯ブラシ殺菌器を提供することにある。
【００３３】
本発明の他の目的は、上部ケースの底面と保護キャップの底面に多数の排出孔を形成して、前記保護キャップの底面に溜った水気が前記排出孔を通して外部に排水されることにより、前記保護キャップの底面の汚染を最小化する携帯用歯ブラシ殺菌器を提供することにある。
【００３４】
本発明の他の目的は、掛け段差に掛かった掛け突起を、回動部材の回動力だけで掛け段差から容易に掛け突起を離脱させて、カバーを開放することができる、使用の便利性を有する携帯用歯ブラシ殺菌器を提供することにある。
【００３５】
本発明の他の目的は、別途の突出長さを有する支持部材および開き突起が必要なくなることで、携帯用歯ブラシ殺菌器の美麗なデザインが可能になって、製品競争力を強化する携帯用殺菌器を提供することにある。
【００３６】
本発明の他の目的は、上部ケースの突出孔にタッチスイッチの一部が突出せず陥没するように形成されており、人為的にタッチスイッチが作動されることを防止し、カバーを閉じるときだけタッチスイッチが作動することで、殺菌ランプから放射される紫外線により害を受けることを予防する携帯用歯ブラシ殺菌器を提供することにある。
【００３７】
本発明の他の目的は、歯ブラシ毛収納部の底面に所定高さ上昇する少なくとも一つ以上の受け台を形成して、前記受け台によって歯ブラシ毛が底面から所定高さ上昇した位置を有することで、歯ブラシ毛に付いた水気の迅速な脱水により殺菌効果を増進させる携帯用歯ブラシ殺菌器を提供することにある。
【００３８】
本発明の他の目的は、歯ブラシ毛挿入口が位置するカバーの上面に半透明体の透視窓およびその下方に反射鏡を備えて、紫外線ランプの光が前記半透明体で透視される審美感と使用の便利性が増加する携帯用歯ブラシ殺菌器を提供することにある。
【００３９】
本発明の他の目的は、歯ブラシグリップが収納されるグリップ収納部に第３排出孔を形成して、歯ブラシグリップに付いたり、グリップ収納部に流れ込んだ水が排出されるようにする携帯用歯ブラシ殺菌器を提供することにある。
【課題を解決するための手段】
【００４０】
前記のような目的を達成するための携帯用歯ブラシ殺菌器は、殺菌ランプとタッチスイッチとが備えられた殺菌手段を収納する殺菌手段収納部および乾電池収納部が一側に形成されている下部ケースと、前記下部ケースの上端に結合され、歯ブラシが収納される収納空間が上面で下方に陥没形成されており、前記収納空間は、歯ブラシの歯ブラシ毛が収納され側面に紫外線吐出口が形成された歯ブラシ毛収納部と、その下方に歯ブラシグリップが収納されるグリップ収納部とで形成され、上面または外周壁のどちらか一側にはタッチスイッチの一部が突出して挿入される突出孔が形成されている上部ケースと、前記上部ケースの歯ブラシ毛収納部に脱付着され、一側に第２紫外線吐出口が形成され、他側には歯ブラシグリップを収納できるように開放部が形成されている保護キャップと、前記上部ケースの上方に位置し、内側にタッチスイッチを押す押し突起が形成され、開閉可能に回動するカバーと、で構成されることを特徴とする。
【００４１】
本発明において、保護キャップには底面から所定高さ上昇した少なくとも一つ以上の第２受け台が形成され、前記第２受け台は所定高さを有する両端部が向かい合う、傾斜面が形成された両側突出形、または第２紫外線吐出口が形成された側から他側方向に下向する傾斜面が形成された逆傾斜形で構成されるのが好ましい。
【００４２】
本発明において、保護キャップの開放部には、底面から所定高さ上昇した境界段差が形成されるのが好ましい。
【００４３】
本発明において、下部ケースの底面に少なくとも一つ以上の掛け孔が形成され、上部ケースの収納空間に排出孔が多数形成されており、保護キャップの底面に多数の第２排出孔がさらに形成されるのが好ましい。
【００４４】
本発明において、下部ケースの前面中央部には空間部が形成され、上部ケースの前面中央部には空間部が形成され、前記空間部の両端のそれぞれで突出する回動突起、およびその後方に掛け段差が形成され、カバーの前面内側中央には下方に突出する掛け突起が掛け段差と掛けられるように形成され、前記掛け突起の両側それぞれに支持突出片が形成され、前記下部ケースの空間部と上部ケースの空間部に位置し、中央に掛け段差と掛け突起に干渉を防止するために挿入空間が形成された水平バーと前記水平バーの前面に垂直に立てられる垂直バー、および前記水平および垂直バー両端に、上部ケースの回動突起が挿入できるように一側が開放されたヒンジ孔が形成された回動部材がさらに備えられるのが好ましい。
【００４５】
本発明において、殺菌手段のタッチスイッチは、上部ケースの突出孔に突出しない長さで形成されるのが好ましい。
【００４６】
本発明において、カバーは、一部または全体が半透明体で形成され、前記カバーの上面には反射鏡が形成されるのが好ましい。
【００４７】
本発明において、上部ケースの収納空間底面には挿入孔が形成されており、前記挿入孔に一端が挿入固定され、歯ブラシグリップの固定を容易にするようにホルダが備えられるが、前記ホルダは中央部に挿入空間が形成されるように両側に立てられ一側に傾斜を有する斜線形の支持片と、前記支持片の下端に形成され挿入孔に挿入固定される固定片とで形成されるのが好ましい。
【発明の効果】
【００４８】
本発明の携帯用歯ブラシ殺菌器は、歯ブラシ毛が収納される歯ブラシ毛収納部に、脱付着可能な保護キャップをさらに備えて、前記保護キャップの脱付着により清潔な状態を維持することができる洗浄の容易性と、よって長時間使用による変色を防止する効果がある。
【００４９】
そして、歯ブラシの首が位置する部分の開放部に段差部を形成して、前記段差部により保護キャップの底面に溜った水気がグリップ収納部に流れ込むことを防止することで、前記グリップ収納部の汚染を最少化する効果がある。
【００５０】
そして、上部ケースの底面と保護キャップの底面に多数の排出孔を形成して、前記保護キャップの底面に溜った水気が前記排出孔を通して外部に迅速に排水されることで、前記保護キャップの底面の汚染を最少化する効果がある。
【００５１】
さらに、掛け段差に掛かった掛け突起を、回動部材の回動力だけで掛け段差から容易に離脱させて、カバーを開放することができる、使用の便利性を有する効果がある。
【００５２】
また、別途の突出長さを有する支持部材および開き突起が必要なくなることで、携帯用歯ブラシ殺菌器の美麗なデザインが可能になって、製品競争力を強化する効果がある。
【００５３】
また、上部ケースの突出孔にタッチスイッチの一部が突出せず陥没するように形成されており、任意にタッチスイッチが作動されることを予防し、カバーが閉じるとき押し突起により押されるようにする効果がある。
【００５４】
また、歯ブラシ毛収納部の底面に所定高さ上昇する少なくとも一つ以上の受け台を形成して、前記受け台によって歯ブラシ毛が底面から所定高さ上昇した位置を有することで、歯ブラシ毛に付いた水気の迅速な排水により、殺菌効果が増進される効果がある。
【００５５】
一方、歯ブラシ毛挿入口が位置するカバーの上面に、半透明体の透視窓およびその下方に反射窓の鏡をさらに備えて、紫外線ランプの光が前記半透明体に透視される審美感と、鏡による使用の便利性を増加させる効果がある。
【発明を実施するための最良の形態】
【００５６】
以下、添付の図面を参照して本発明を詳細に説明する。同図面において、従来と同一な構成に対しては同一な参照符号を使用し、これに対する詳細な説明は省略する。
【００５７】
図４は携帯用歯ブラシ殺菌器において保護キャップを分離した一部拡大斜視図、図５は携帯用歯ブラシ殺菌器に保護キャップが装着された状態の一部拡大横断面図、図６は携帯用歯ブラシ殺菌器に保護キャップが装着された状態の一部拡大縦断面図、図７は携帯用歯ブラシ殺菌器の縦断面図、図８はボタン構造の一部分解拡大斜視図、図９はボタン構造の作動状態図であって、図９ａは閉じている状態図、図９ｂは開いている状態図、図１０はカバーの開閉によりタッチスイッチが押される状態を示した縦断面図、図１１は受け台の実施例を図示した拡大断面図、図１２は上部ケースの収納空間に歯ブラシが収納された平面図、図１３は携帯用歯ブラシ殺菌器の透視窓および反射鏡を分離した斜視図である。
【００５８】
歯ブラシ殺菌器１０ａは、内側に殺菌手段１６０と携帯用乾電池が収納される下部ケース１００ａと、前記下部ケース１００ａの上端をカバーするように結合され、収納空間２１０が形成された上部ケース２００ａと、前記上部ケース２００ａの上端に設けられて開閉されるカバー３００ａとで構成される。
【００５９】
前記下部ケース１００ａには、底面１１０と、前記底面１１０の外周に立てられる外周壁１２０とが形成され、内側後方下側には携帯用乾電池を収納できる開閉板が備えられた乾電池収納部１４０と、その上側に殺菌ランプ１６２とタッチスイッチ１６４が備えられた殺菌手段１６０が収納される殺菌手段収納部１５０とが形成される。特に、前記殺菌手段１６０のタッチスイッチ１６４は、上部ケース２００ａが結合されるとき上部ケース２００ａの突出孔２５０を通して外部に突出しない長さを有するのが好ましい。
【００６０】
そして、底面１１０の上方中央部には掛け孔１１２が貫通形成される。図８を参照すると、外周壁１２０の前面中央部には、回動部材が挿入される空間部１２４が形成される。
【００６１】
下部ケース１００ａの後方両側には、ヒンジ突起１３０が突出形成される。
【００６２】
上部ケース２００ａには、上面２２０と、前記上面２２０の外周下方に立てられる外周壁２３０が形成され、前記上面２２０には、下方に陥没形成される収納空間２１０が形成され、前記上面２２０または外周壁２３０の一側には、タッチスイッチ１６４が位置する部分に突出孔２５０が貫通形成される。
【００６３】
そして、前記収納空間２１０は、歯ブラシ４００の歯ブラシ毛４１０が挿入される歯ブラシ毛収納部２１２と、その下方に歯ブラシグリップ４２０が収納されるグリップ収納部２１４とで区分される。
【００６４】
さらに、前記歯ブラシ毛収納部２１２の後方、すなわち、歯ブラシ毛４１０と対応する側面には、殺菌ランプ１６２から放射される紫外線が外部に放射されるように、紫外線吐出口２４０が形成されている。
【００６５】
図８を参照すると、外周壁２３０の前面中央部には、回動部材が位置するように空間部２３２が形成され、前記空間部２３２の両端には、回動突起２６４がそれぞれ突出形成されており、その後方中央には掛け段差２６２が形成される。
【００６６】
図４を参照すると、歯ブラシ毛収納部２１２の底面には、多数の排出孔２１６と、歯ブラシ毛４１０および歯ブラシグリップ４２０を支える受け台が少なくとも一つ以上形成される。
【００６７】
前記受け台は、歯ブラシ毛４１０が底面から所定高さ上昇するようにする一字形２７２と、所定高さ上昇した両端が互いに対称する傾斜で向かい合うように形成された両側突出形２７４(図１１ａ参照)と、歯ブラシ毛４１０端部を上昇させ、歯ブラシグリップ４２０側に下向する傾斜で形成された逆傾斜形２７６(図１１ｂ参照)と、のうち選択的に使用するのが好ましい。
【００６８】
これは、水気が付いている歯ブラシ毛４１０が歯ブラシ毛収納部２１２に収納されるとき、前記受け台により歯ブラシ毛４１０が底面から所定高さ上昇した状態を維持し、これにより歯ブラシ毛４１０に付いている水気が、歯ブラシ毛収納部２１２の底面に迅速に脱水し、底面に溜った水気が歯ブラシ毛に付くことを防止し、さらに、殺菌ランプ１６２と同一線上に歯ブラシ毛が位置して、紫外線の直射で照射されることで、殺菌効率を向上させるのである。
【００６９】
なお、グリップ収納部２１４には、少なくとも一つ以上の第３排出孔２１７が形成されて、歯ブラシグリップ４２０または歯ブラシ毛収納部２１２から流れ込む水気が、前記第３排出孔２１７を通して排出されるように形成されるのが好ましい。
【００７０】
図４を参照すると、前記収納空間２１０の歯ブラシ毛収納部２１２とグリップ収納部２１４との間には、歯ブラシ４００の収納時に安定的な固定がなされるように、弾性体のホルダ２８０が設けられる。
【００７１】
図１２を参照すると、前記ホルダ２８０には、両側に立てられる支持片２８２と、前記支持片２８２の下端に固定片２８４が形成されて、前記支持片２８２の内側に歯ブラシグリップ４２０が固定され、前記固定片２８４は収納空間２１０の底面に形成された挿入孔２１８に挟まれて固定される。
【００７２】
特に、前記ホールダ２８０の支持片２８２は、水平式でない一側に傾いた斜線形で形成され、前記支持片２８２に挿入される歯ブラシグリップ４２０の傾きと類似して、挿入および固定力が増加するように形成するのが好ましい。
【００７３】
前記ホルダ２８０は、自己弾性力を有する軟質のゴム材または合成樹脂材で形成されるのが好ましい。
【００７４】
図１２を参照すると、Ａは、歯ブラシグリップの傾きと類似している傾きで形成された斜線形のホルダで、前記歯ブラシグリップが安定的に固定されることが確認でき、Ｂは、従来水平式ホルダに傾きを有する歯ブラシグリップが固定されるとき、前記歯ブラシグリップの傾きにより前記ホルダの支持片が緩くなって、固定力が低下することが確認できる。
【００７５】
前記カバー３３０ａの後方両端にはヒンジ孔３１０が形成され、上面に多数の通気孔３２０が形成され、内側後方に押し突起３４０が突出形成される。
【００７６】
図８を参照すると、前面中央部には、下方に突出する掛け突起３６２と、前記掛け突起３６２の両側それぞれに支持突出片３６４が形成されるが、前記支持突出片３６４はカバー３００ａの下端面と水平面を有するのが好ましい。
【００７７】
図４乃至図６を参照すると、上部ケース２００ａの歯ブラシ毛収納部２１２には脱付着される保護キャップ５００が備えられ、前記保護キャップ５００は上部が開放されたコップ形態で、一側面に第２紫外線吐出口５１０が形成され、底面５２０には多数の第２排出孔５３０と第２受け台が形成され、歯ブラシ４００の収納を円滑にするために、一側面に開放部５５０が形成される。
【００７８】
そして、前記第２排出孔５３０は、歯ブラシ毛収納部２１２に形成された排出孔２１６と同一な垂直線上に位置するのが好ましく、上端が広く、下端が狭くなる形状のカウンタシンク形状で形成されるのがより好ましい。
【００７９】
なお、第２受け台は、歯ブラシ毛収納部２１２に選択的に形成される受け台と同一な形成で、すなわち、一字形５４２と両側突出形５４４および逆傾斜形５４６で形成される。この場合、底面が開放された内側に陥没部を形成して、前記陥没部に受け台が挿入されるように形成されるのが好ましい。
【００８０】
そして、前記開放部５５０には、底面５２０に溜った水気がグリップ収納部２１４に流れ込むことを防止するために、所定高さを有する境界段差５６０が形成され、前記境界段差５６０は歯ブラシグリップ４２０の底面に触れない高さを有することが好ましい。
【００８１】
図８を参照すると、回動部材６００は、中央部に挿入空間６１２が形成された水平バー６１０と、前記水平バー６１０の前面に下方に立てられる垂直バー６２０とで構成される。前記水平および垂直バー６１０、６２０が触れ合う両端にはヒンジ孔６１４が形成され、前記垂直バー６２０の前面下側には滑り防止突起６２２が形成されている。
【００８２】
図１３を参照すると、カバー３００ａの上面には、透視窓７００および反射鏡８００が備えられる。
【００８３】
前記透視窓７００は、下端に掛け部材７１０が形成された半透明体で形成されるのが好ましく、前記透視窓７００が位置するカバー３００ａの上面には、内周に掛け段差３７２が形成された挿入空間３７０が形成され、前記掛け段差３７２の上端に透視窓７００が固定され、前記透視窓７００の掛け部材７１０カバー３００ａの挿入空間３７０を通して、掛け段差３７２の底面に掛かって固定される。
【００８４】
そして、前記カバー３００ａに形成される挿入空間３７０は、歯ブラシ毛収納部２１２が形成された上方に形成されるのが好ましい。これは、歯ブラシ毛収納部２１２に形成された紫外線吐出口２４０を通して放射される殺菌ランプ１６２の照明が、前記透視窓７００の半透明体により透視されることによって、審美感を引き起こすためである。
【００８５】
なお、前記透視窓７００の下方には反射鏡８００が備えられる。前記反射鏡８００は鏡と同一な目的を有し、材質によって硝子材または合成樹脂材および金属など、多様に形成されることができる。
場合によっては、カバー３００ａの全体を半透明体で形成でき、前記カバー３００ａの上面に反射鏡８００を付着して使用することもできる。
【００８６】
携帯用歯ブラシ殺菌器１０ａは、殺菌ランプ１６２が備えられた殺菌手段１６０と携帯用乾電池が収納された下部ケース１００ａの上部に、内部に歯ブラシ４００の収納空間２１０が形成された上部ケース２００ａが固定結合され、前記下部ケース１００ａのヒンジ突起１３０がカバー３００ａのヒンジ孔３１０に挿入されて、前記ヒンジ突起１３０を中心に回動して上部ケース２００ａの上方を開閉する。
【００８７】
そして、前記上部ケース２００ａの歯ブラシ毛収納部２１２には、保護キャップ５００が付着されており、前面中央には上部ケース２００ａの回動突起２６４に挟まれた回動部材６００が結合されている。
【００８８】
なお、カバー３００ａの上面には、透視窓７００および反射鏡８００が備えられている。
【００８９】
以下、前記のように構成された携帯用歯ブラシ殺菌器の使用状態を説明する。
【００９０】
図９ａおよび図９ｂを参照すると、まず、カバー３００ａを開けようとする場合には、携帯用歯ブラシ殺菌器１０ａの前面に位置する回動部材６００を押す。
【００９１】
このとき、前記回動部材６００の垂直バー６２０の下端に形成された滑り防止突起６２２の部分を押すのが好ましく、該押す力により前記回動部材６００は、回動突起２６４を中心に回動し、該回動力により水平バー６１０の上面に密着した支持突起片３６４を上昇させる。
【００９２】
そして、支持突起片３６４の上昇力により、カバー３００ａの中央部に形成された掛け突起３６２は、上部ケース２００ａの掛け段差２６２から強制離脱されることで掛ける力が解除され、このような掛ける力の解除で、容易に前記カバー３００ａを回動開放することができるようになる。
【００９３】
次に、前記のように開放された上部ケース２００ａを通して収納された歯ブラシ４００を取り出して使用し、使用完了した歯ブラシ４００を収納空間２１０に収納してから、カバー３００ａを閉じようとする場合を説明する。
【００９４】
まず、使用完了した歯ブラシ４００を収納空間２１０に収納するが、前記収納空間２１０に設けられたホルダ２８０の支持片２８２の中央開放部に歯ブラシ４００を挿入し、このとき前記支持片２８２は歯ブラシ４００の傾斜と同一な傾斜を有することによって、前記歯ブラシ４００の固定力が増加される。
【００９５】
そして、前記収納空間２１０の歯ブラシ毛収納部２１２に位置する歯ブラシ毛４１０は、前記歯ブラシ毛収納部２１２に付着された保護キャップ５００の底面５２０から所定高さ上昇した第２受け台により支持され、よって歯ブラシ毛４１０に付いている水気は下向に脱水されて、底面５２０に溜る。
【００９６】
なお、前記底面５２０に溜った水気は、第２排出孔５３０と、前記第２排出孔５３０と連通された排出孔２１６とに排水されると同時に、下部ケース１００ａの掛け孔１１２を通して外部に完全排水される。
【００９７】
そして、前記底面５２０に排水されなかった水気は、以降殺菌ランプ１６２の熱により乾燥される。従来には、一部がグリップ収納部２１４に流れ込む場合があったが、保護キャップ５００の境界段差５６０により、水気が前記グリップ収納部２１４に流れ込むことが防止される。
【００９８】
一方、前記収納空間２１０に歯ブラシ４００の収納が完了してからカバー３００ａを回動させると、前記カバー３００ａの掛け突起３６２が掛け段差２６２に位置する。このとき力を倍加すると、前記掛け突起３６２の両側に設けられた支持突起片３６４が回動部材６００の水平バー６１０を押す。
【００９９】
前記押す力を受けた回動部材６００は、回動突起２６４を中心に開き方向の逆方向に回動し、前記回動部材６００の開放部５５０に掛け突起３６２が挿入されて、後方の掛け段差２６２に掛かることによって、前記カバー３００ａが閉じる。
【０１００】
そして、前記閉じるカバー３００ａの押し突起３４０は、上部ケース２００ａの上面２２０または外周壁２３０に形成された突出孔２５０に挿入され、前記突出孔２５０に陥没する位置に備えられたタッチスイッチ１６４を押す。
【０１０１】
なお、前記押されたタッチスイッチ１６４の作動により、殺菌手段１６０の一側に設けられた殺菌ランプ１６２は、保護キャップ５００に収納された歯ブラシ毛４１０を殺菌し、前記歯ブラシ毛４１０は保護キャップ５００の第２受け台５２０により所定高さ上昇することによって、殺菌ランプ１６２の紫外線が直射で照射されることで、殺菌効率が増加する。
【０１０２】
さらに、前記閉じたカバー３００ａの上面には、半透明体の透視窓７００と反射鏡８００が備えられて、殺菌ランプ１６２の点灯で前記透視窓７００を通して殺菌ランプ１６２の照明が半透視されることによって、審美感を引き起こす効果がある。
【０１０３】
以上説明したのは、本発明の携帯用歯ブラシ殺菌器を実施するための一つの実施例に過ぎないものであって、本発明は前記の実施例に限定されるのではない。以下、特許請求の範囲で請求する本発明の要旨から外れず、本発明の属する分野で通常の知識を有する者であれば、誰でも多様な変更実施が可能な範囲にまで本発明の技術的精神があるというべきである。例えば、下部ケースの底面に多数の排出孔を形成して、保護キャップの排出孔を通して排水される水気の排水性を向上させるように形成することができる。
【図面の簡単な説明】
【０１０４】
【図１】従来歯ブラシ殺菌器の分解斜視図である。
【図２】従来歯ブラシ殺菌器の横断面図である。
【図３】従来歯ブラシ殺菌器の縦断面図である。
【図４】本発明に係る携帯用歯ブラシ殺菌器において、保護キャップを分離した一部拡大図である。
【図５】本発明に係る携帯用歯ブラシ殺菌器に保護キャップが装着された状態の一部拡大横断面図である。
【図６】本発明に係る携帯用歯ブラシ殺菌器に保護キャップが装着された状態の縦断面図である。
【図７】本発明に係る携帯用歯ブラシ殺菌器の中央部の縦断面図である。
【図８】本発明に係るボタン構造の一部拡大分解斜視図である。
【図９ａ】図７におけるボタンの作動状態図として、閉じている態図を示す図面である。
【図９ｂ】図７におけるボタンの作動状態図として、開いている状態を示す図面である。
【図１０】本発明に係るカバーの開閉によりタッチスイッチが押される状態を示した縦断面図である。
【図１１ａ】本発明の他の実施例に係る両側突出形の受け台を図示した縦断面図である。
【図１１ｂ】本発明の他の実施例に係る逆傾斜形の受け台を図示した縦断面図である。
【図１２】本発明に係る上部ケースの収納空間に歯ブラシが挿入された平面図である。
【図１３】本発明に係る携帯用歯ブラシ殺菌器の透視窓および反射鏡を分離した斜視図である。
【符号の説明】
【０１０５】
１０、１０ａ：携帯用歯ブラシ殺菌器
１００、１００ａ：下部ケース
２００、２００ａ：上部ケース
３００、３００ａ：カバー
５００：保護キャップ
６００：回動部材
７００：透視窓
８００：反射鏡
【図１】
2007236600.tif 000003
【図２】
2007236600.tif 000004
【図３】
2007236600.tif 000005
【図４】
2007236600.tif 000006
【図５】
2007236600.tif 000007
【図６】
2007236600.tif 000008
【図７】
2007236600.tif 000009
【図８】
2007236600.tif 000010
【図９ａ】
2007236600.tif 000011
【図９ｂ】
2007236600.tif 000012
【図１０】
2007236600.tif 000013
【図１１ａ】
2007236600.tif 000014
【図１１ｂ】
2007236600.tif 000015
【図１２】
2007236600.tif 000016
【図１３】
2007236600.tif 000017